(57)【要約】  本発明は、垂直入射エリプソメータおよびこれを用いた試験片の光物性の測定方法に関する。本発明は、波長依存性がある補償器の代わりに波長依存性がない線形偏光子を使用することで、装備校正手続きを簡素化できるようにし、且つ測定波長領域の拡張を容易に実現できるようにする、垂直入射エリプソメータおよびこれを用いた試験片の光物性の測定方法を提供することを目的とする。【選択図】図３
2021529328.tif 000002
【特許請求の範囲】
【請求項１】
視準光学系を含み、試験片に向かって入射平行ビームを放射する光源と、
前記光源と前記試験片との間に配置され、前記入射平行ビームの一部を前記試験片の面に対して垂直方向に向かうようにする光分割器と、
前記光分割器と前記試験片との間に配置され、予め設定された方位角で固定され、前記入射平行ビームを予め設定された方向の線偏光成分のみ通過させる固定偏光子と、
前記固定偏光子と前記試験片との間に配置され、等速で回転して前記入射平行ビームの偏光状態を等速回転振動数に応じて規則的に変調させる等速回転偏光子と、
前記試験片から反射した反射平行ビームの入射を受けて分光輻射線束の露光量を測定する光検出素子と、
前記試験片と前記光検出素子との間に配置され、等速で回転して前記反射平行ビームの偏光状態を等速回転振動数に応じて規則的に変調させる等速回転検光子と、
前記等速回転検光子と前記光検出素子との間に配置され、予め設定された方位角で固定され、前記反射平行ビームの予め設定された方向の線偏光成分のみ通過させる固定検光子と、
前記固定偏光子および前記固定検光子の方位角、前記等速回転偏光子および前記等速回転検光子の等速回転角速度を制御し、前記光検出素子で測定された分光輻射線束の露光量値を分析して前記試験片の光物性を算出する電算機器とを含み、
前記固定偏光子および前記固定検光子が一つの線形偏光子として一体になり、前記等速回転偏光子および前記等速回転検光子が一つの等速回転線形偏光子として一体になることを特徴とする、垂直入射エリプソメータ。
【請求項２】
前記垂直入射エリプソメータは、
前記光分割器、前記固定偏光子および前記固定検光子が一つの光分割線形偏光子として一体になることを特徴とする、請求項１に記載の垂直入射エリプソメータ。
【請求項３】
前記光分割線形偏光子は、
ウォラストンプリズムであることを特徴とする、請求項２に記載の垂直入射エリプソメータ。
【請求項４】
前記光検出素子は、
画素が線形または二次元平面構造で配列されたＣＣＤ、ＣＭＯＳまたはフォトダイオードアレイ素子を含む分光器でそれぞれ指定された波長帯域に対する画素またはビニングされた画素から選択される少なくとも一つであることを特徴とする、請求項１に記載の垂直入射エリプソメータ。
【請求項５】
前記光検出素子は、
一つの分光器であるか、またはｓ‐偏光分光器およびｐ‐偏光分光器からなる分光器セットでそれぞれ指定された波長帯域に対する画素またはビニングされた画素から選択される少なくとも一つであることを特徴とする、請求項４に記載の垂直入射エリプソメータ。
【請求項６】
前記光検出素子は、
前記光源がガスレーザ、レーザダイオードから選択される少なくとも一つである単一波長の光源装置の場合、ＰＭＴおよびフォトダイオードを含む単一点光検出器として構成されることを特徴とする、請求項１に記載の垂直入射エリプソメータ。
【請求項７】
前記光検出素子は、
画素が二次元平面構造で配列されたＣＣＤまたはＣＭＯＳを含むイメージング光検出器から選択される一つの画素であることを特徴とする、請求項１に記載の垂直入射エリプソメータ。
【請求項８】
前記垂直入射エリプソメータは、
前記固定偏光子および前記固定検光子に方位角の調節のための中空軸ステッピングモータが備えられ、
前記等速回転偏光子および前記等速回転検光子の等速回転角速度の調節のための等速回転中空軸モータが備えられることを特徴とする、請求項１に記載の垂直入射エリプソメータ。
【請求項９】
前記電算機器は、
前記光検出素子から測定された光の分光輻射線束の露光量値から分光輻射線束波形に対するフーリエ係数値を計算し、前記フーリエ係数値から前記試験片のミュラー行列成分値を計算し、前記ミュラー行列成分値から前記試験片の光物性値を分析および算出する演算部と、
前記固定偏光子および前記固定検光子の方位角を中空軸ステッピングモータを使用して遠隔制御し、前記等速回転偏光子および前記等速回転検光子の等速回転角速度を等速回転中空軸モータを使用して遠隔制御する制御部と、
前記分光輻射線束の露光量値である測定値、前記フーリエ係数値および前記ミュラー行列成分値である計算値、前記試験片の光物性値である分析値を格納する記憶部と、
前記測定値、前記計算値、前記分析値を出力する出力部とを含むことを特徴とする、請求項１に記載の垂直入射エリプソメータ。
【請求項１０】
前記光源は、
キセノン（Xenon）ランプ、タングステン（Tungsten）‐ハロゲン（Halogen）ランプ、重水素（Deuterium）ランプ、レーザ駆動の光源（Laser Driven Light Source）、ガスレーザ、レーザダイオードから選択される少なくとも一つであるか、またはこれらから放射した光を光ファイバを通じて伝達することを特徴とする、請求項９に記載の垂直入射エリプソメータ。
【請求項１１】
前記垂直入射エリプソメータは、
光経路を外部大気と遮蔽する遮蔽用ブースと、
前記遮蔽用ブースに連結されて不活性ガスを供給するガス供給装置とを含むことを特徴とする、請求項１に記載の垂直入射エリプソメータ。
【請求項１２】
前記不活性ガスは、
窒素ガスまたはアルゴンガスであることを特徴とする、請求項１１に記載の垂直入射エリプソメータ。
【請求項１３】
前記垂直入射エリプソメータは、
前記等速回転偏光子と前記試験片との間に配置され、前記試験片の局所領域に焦点が結ばれるように前記入射平行ビームを収束させる焦点光学系を含むことを特徴とする、請求項１に記載の垂直入射エリプソメータ。
【請求項１４】
前記焦点光学系は、
光帯域波長に対する色収差補正のために、少なくとも一つの鏡、少なくとも一つのレンズ、または少なくとも一つの鏡および少なくとも一つのレンズのセットから選択される一つであることを特徴とする、請求項１３に記載の垂直入射エリプソメータ。
【請求項１５】
前記焦点光学系は、
透過または反射効率の向上のために、前記鏡または前記レンズに単一薄膜または多層薄膜がコーティングされることを特徴とする、請求項１４に記載の垂直入射エリプソメータ。
【請求項１６】
前記垂直入射エリプソメータは、
複数個の前記試験片を収容および保管する試験片保管容器、前記試験片保管容器から複数個の前記試験片を予め設定された規則に従って順に一つずつ取り出して前記垂直入射エリプソメータの試験片保持具に配置し、測定完了した前記試験片を前記試験片保管容器の最初の位置に復帰させる試験片搬送装置を含む試験片搬送システムを含むことを特徴とする、請求項１に記載の垂直入射エリプソメータ。
【請求項１７】
前記垂直入射エリプソメータは、
試験片整列用光を放射する整列用レーザ、前記整列用レーザから放射する光を前記試験片に予め設定された方向に入射させる整列用光学系、前記試験片に入射されて反射した光を受光して前記試験片の位置を判別する整列用光検出器を含む試験片整列システムを含むことを特徴とする、請求項１に記載の垂直入射エリプソメータ。
【請求項１８】
前記垂直入射エリプソメータは、
測定環境の振動による影響を防止するために、前記垂直入射エリプソメータの下部に備えられる防振システムを含むことを特徴とする、請求項１に記載の垂直入射エリプソメータ。
【請求項１９】
前記垂直入射エリプソメータは、
温度変化による測定誤差発生を防止するために、測定環境温度を維持するか冷却する恒温装置または冷却装置を含むことを特徴とする、請求項１に記載の垂直入射エリプソメータ。
【請求項２０】
請求項１に記載の垂直入射エリプソメータを用いた試験片の光物性の測定方法であって、
光物性を測定しようとする前記試験片が前記垂直入射エリプソメータの試験片保持具に装着および整列される試験片装着ステップと、
前記電算機器によって、前記固定偏光子および前記固定検光子の方位角値が選択される方位角選択ステップと、
前記電算機器によって、前記固定偏光子および前記固定検光子を設定方位角に移動させる方位角移動ステップと、
前記光検出素子によって、前記等速回転偏光子および前記等速回転検光子の方位角の変化による前記反射平行ビームの分光輻射線束の露光量値が測定される露光量測定ステップと、
前記電算機器によって、前記分光輻射線束の露光量値から分光輻射線束波形のフーリエ係数値が計算されるフーリエ係数計算ステップと、
前記電算機器によって、前記フーリエ係数値から前記試験片のミュラー行列成分値が計算されるミュラー行列成分計算ステップと、
前記電算機器によって、前記ミュラー行列成分値から前記試験片の光物性値が分析および算出される試験片光物性分析ステップとを含むことを特徴とする、垂直入射エリプソメータを用いた試験片の光物性の測定方法。
【請求項２１】
前記光物性は、
界面特性、薄膜厚さ、複素屈折率、ナノ形状、非等方特性、表面粗さ、組成比、結晶性から選択される少なくとも一つであることを特徴とする、請求項２０に記載の垂直入射エリプソメータを用いた試験片の光物性の測定方法。
【発明の詳細な説明】
【技術分野】
【０００１】
本発明は、垂直入射エリプソメータおよびこれを用いた試験片の光物性の測定方法に関する。より具体的には、本発明は、試験片によって反射した光の偏光状態の変化を測定および分析して試験片の光物性を測定するために使用される垂直入射エリプソメータおよびこれを用いた試験片の光物性の測定方法に関する。
【背景技術】
【０００２】
半導体素子、平板ディスプレイ、薄膜型太陽電池、ナノインプリント、ナノバイオ、薄膜光学などに関する様々な産業分野が急激に発展している中、薄膜の厚さはますます小さくなって、数個の原子層水準までに逹しており、ナノパターンの形状は、既存の二次元構造から三次元構造に複雑化している傾向にある。これに伴い、かかる製品の製造工程ステップでナノ試験片を損傷しないように非接触式になるとともに、薄膜の厚さ、ナノパターンの形状などのナノスケールの試験片の形状および物性をより正確に分析するための工程用測定技術へのニーズがより高まっている。かかる非接触式ナノスケール測定技術のうち、エリプソメータとこれを用いた方法が、光源、光検出器、コンピュータなどの発展に伴って広く用いられている。
【０００３】
入射角を基準とした時に、エリプソメータの種類は、垂直入射方式と傾斜入射方式とに分けられる。垂直入射方式は、試験片の面に垂直に（すなわち、入射角が０度）測定ビームを入射させた時に、試験片によって垂直に反射した光の偏光状態の変化を測定する方式であり、傾斜入射方式は、測定ビームの入射角が０度〜９０度の範囲内で任意に選択される値を有するようにして測定する方式である。このうち、垂直入射方式は、測定装置の大きさをより小さくすることができ、試験片でより小さな面積の内部地域を測定できるように測定ビームを小さくすることができるという利点がある。米国特許登録第７３５５７０８号、米国特許登録第７８８９３４０号などの様々な特許文献やその他の様々な論文にかかる垂直入射方式のエリプソメータの基本的な構成および原理について詳細に開示されている。
【０００４】
［垂直入射エリプソメータの基本構成］
光素子‐回転型エリプソメータは、基本的に、光源（Light Source；ＬＳ）、偏光状態発生器（Polarization State Generator；ＰＳＧ）、試験片（Sample；ＳＰ）、偏光状態分析器（Polarization State Analyzer）、検出光学系（Detection Optic System；ＤＯＳ）、光検出素子（Photodetector Element；ＰＤＥ）を含むことができるが、各部について簡単に説明すると以下のとおりである。光源は、ランプなどから放射した光を光学系を使用して平行ビームにする役割をする。偏光状態発生器は、光源から放射した平行ビームを特定の偏光状態にする役割をする偏光光学系である。試験片は、変調した入射平行ビームの進行経路上に配置される。偏光状態分析器は、試験片から反射した反射平行ビームの進行経路上に前記反射平行ビームの偏光状態を分析するための役割をする偏光光学系である。光検出素子は、偏光状態分析器を通過した指定された波長帯域の反射平行ビームの光量を電圧または電流のような値として測定する役割をし、電算機器（Processor）を用いて、このように測定された電圧または電流値から前記試験片の光物性値を計算して格納または画面に表示することができる。検出光学系は、偏光状態分析器（ＰＳＡ）と光検出素子（ＰＤＥ）との間の反射平行ビーム軸線上に配置されるが、反射平行ビームの偏光状態の変化を与えることができる光学素子と同じ効果を有する仮想的偏光光学系として、光分割器（Beam Splitter）と分光器（Spectrometer）の内部に装着されている反射鏡およびグレーチング（Grating）などが含まれ得る。
【０００５】
上述のように、偏光状態発生器または偏光状態分析器は、各々の役割を果たすように複数個の回転可能偏光光素子が適切に配置される偏光光学系の形態からなる。この際、前記回転可能偏光光素子のうち少なくとも１個以上の選択される回転可能偏光光素子は、等速で回転し、前記等速回転偏光光素子以外の残りの回転可能偏光光素子は、固定偏光光素子として測定のために予め指定された方位角に移動し、測定の時に停止されていてもよい。
【０００６】
かかる回転可能偏光光素子の種類や配置は、エリプソメータの種類に応じて適宜異なり得、具体的には、前記回転可能偏光光素子は、線形偏光子（Linear Polarizer）と補償器（Compensator）から構成され得る。また、前記線形偏光子が前記偏光状態発生器に配置された場合には偏光子（Polarizer）と称し、前記偏光状態分析器に配置された場合には検光子（Analyzer）と区分して称する。前記補償器の場合には、前記偏光状態発生器に配置された場合には入射軸補償器と称し、前記偏光状態分析器に配置された場合には反射軸補償器と区分して称する。
【０００７】
従来の光素子‐回転型エリプソメータは、入射角（Angle of Incidence）を基準に見ると、傾斜入射方式と垂直入射方式とに分けられる。前記入射角は、試験片の面に垂直な様々な平面のうち入射平行ビームと反射平行ビームの経路を含むものを入射面（Incident Plane）と定義し、入射面で試験片の面に垂直な軸を基準軸（Reference Axis）としたときに、入射平行ビームまたは反射平行ビームと基準軸との内角を入射角と定義しφと表記する。前記垂直入射方式は、入射角が０度である光学構造を採択した場合であり、前記傾斜入射方式は、入射角が０度ではない光学構造を採択した場合である。前記傾斜入射方式に比べて前記垂直入射方式の利点は、測定装置の大きさを小さくすることができ、試験片の上に入射されるビームの面積をより小さくすることができ、微細な面積内部の測定が可能である。
【０００８】
傾斜入射または垂直入射光素子‐回転型エリプソメータの原理について簡単に説明すると、以下のとおりである。傾斜入射または垂直入射光素子‐回転型エリプソメータでは、光源から放射した入射平行ビームを偏光状態発生器に入射させ、入射平行ビームは、偏光状態発生器によって統制可能な特定の偏光状態に変化し、偏光状態に変調した入射平行ビームは、試験片に照射されて試験片によって偏光状態が変化し、試験片の光物性情報を有する反射平行ビームになり、反射平行ビームは、偏光状態分析器に入射されて再度統制可能な特定の偏光状態に変化し、かかる一連の変化を経た反射平行ビームを光検出素子を使用して電圧または電流のような電気的信号として測定され、電算機器によって測定された電気的信号から最終に試験片の光物性情報を得る一連の過程が行われる。
【０００９】
従来の垂直入射エリプソメータで偏光状態発生器および偏光状態分析器を具現するにあたり、一つの線形偏光子と一つの等速回転補償器だけ配置されて構成された単一‐補償器‐回転型垂直入射エリプソメータと一つの線形偏光子と２個の等速回転補償器だけ配置されて構成された二重補償器‐回転型垂直入射エリプソメータが開示される。
【００１０】
［従来の垂直入射エリプソメータの構成］
図１を参照すると、従来の垂直入射エリプソメータの一実施形態である単一補償器‐回転型垂直入射エリプソメータ１０は、光源１１と、光分割器１２（Beam Splitter）と、線形偏光子１３と、等速回転補償器１４と、分光器１５（Spectrometer）と、電算機器１６（Processor）とを含む。
【００１１】
図１の単一補償器‐回転型垂直入射エリプソメータ１０を測定原理の基本構造の面で記述すると以下のとおりである。光源１１から放射した入射平行ビームＬ１０ａは、光分割器１２によって試験片１０００の面に垂直方向に進行して（線形偏光子１３に具現される）固定偏光子に入射される。固定偏光子に入射した入射平行ビームＬ１０ａは、固定偏光子と（等速回転補償器１４に具現される）等速回転入射軸補償器を順に通過して入射平行ビームＬ１０の偏光状態が変調し、試験片１０００に入射されるＬ１０ｂ。試験片１０００によって反射した反射平行ビームＬ１０ｃは（やはり等速回転補償器１４に具現される）等速回転反射軸補償器に入射され、等速回転反射軸補償器に入射した反射平行ビームＬ１０ｃは、等速回転反射軸補償器と（やはり線形偏光子１３に具現される）固定検光子を順に通過してまた偏光状態が変調し、光分割器１２によって分光器１５に入射されるＬ１０ｄ。分光器１５に入射した反射平行ビームＬ１０ｄは、各波長別に分光され、分光器１５に内在している光検出素子によって電気的デジタル信号値に変換され、測定されたデジタル信号値は、電算機器１６によって試験片１０００の光物性の分析に使用される。
【００１２】
図１の実施形態において、検出光学系は、光分割器１２と、分光器１５に内在した反射鏡と、グレーチング（grating）などを含む。また、図１の実施形態において、線形偏光子１３は、固定偏光子だけでなく、固定検光子の役割も果たし、等速回転補償器１４は、等速回転入射軸補償器だけでなく、等速回転反射軸補償器の役割を同時に果たす。したがって、傾斜入射方式に比べて測定装置の大きさを小さくすることができるという利点がある。
【００１３】
線形偏光子は、主に、ＭｇＦ２、ＣａＣＯ３、ＳｉＯ２のように複屈折率（Birefringence）特性を有する結晶体をプリズム形態に加工組立して作られる。線形偏光子に入射した光の電場成分のうち線形偏光子の透過軸方向の成分は透過することができ、透過軸に垂直な成分は透過することができないため、透過した光は、線偏光状態になる。光活性（Optical Activity）のないプリズム型線形偏光子の場合には、波長の種類に応じて透過した光の線形偏光状態が影響を受けず、ＭｇＦ２で作ったローション方式（Rochon Type）の線形偏光子の場合には、１５０〜６，５００ｎｍの光帯域波長領域に対して使用することができる。
【００１４】
一方、任意の偏光特性を有している光が補償器を通過する時に、補償器に入射した光の電場成分のうち速い軸（fast axis）方向に通過した成分と、これに垂直な遅い軸（slow axis）方向に通過した成分との間の位相遅延（Phase Retardation）差が９０度になる、すなわち、λ／４波長板の役割を果たすように作られた場合が最も理想的である。しかし、多数の波長を使用する場合には、現実的にこのように補償器を作製することが難しいという問題がある。具体的には、多数の波長に対して実時間測定が可能な補償器が内在した分光エリプソメータを作るためには、測定波長領域に適する補償器を作らなければならないが、かかる製造が難しいという問題がある。また、各波長別に補償器の位相遅延値が異なるため、測定に使用される前に、先に校正手続き（Calibration Process）により位相遅延値を探さなければならないが、かかる校正方法が非常に複雑であるため、校正手続きの過程中に誤差が発生し得るという問題もある。
【００１５】
図２を参照すると、従来の垂直入射エリプソメータの他の実施形態である二重補償器‐回転型垂直入射エリプソメータ２０は、光源２１と、光分割器２２と、線形偏光子２３と、第１等速回転補償器２４ａと、第１波長板２４ａｗ（Waveplate）と、第１等速回転中空軸モータ２４ａｍと、第２等速回転補償器２４ｂと、第２波長板２４ｂｗと、第２等速回転中空軸モータ２４ｂｍと、分光器２５と、電算機器２６と、遮蔽用ブース２７と、ガス供給装置２８とを含む。二重補償器‐回転型垂直入射エリプソメータ２０は、単一補償器‐回転型垂直入射エリプソメータ１０とは異なり、測定波長領域をより広く拡大するために、第２等速回転補償器２４ｂ、第１波長板２４ａｗおよび第２波長板２４ｂｗなどをさらに備える。また、遠紫外線（deep UV）の波長領域よりも小さな波長を有する光は、測定ビームの経路にある酸素と水分などによって吸収されやすいため、これを防止するために、遮蔽用ブース２７で測定光学系を遮蔽し、ガス供給装置２８を用いて高純度窒素または高純度アルゴンなどのガスで測定ビーム経路を満たすパージングシステム（Purging System）をさらに備える。
【００１６】
図２の二重補償器‐回転型垂直入射エリプソメータ２０を測定原理の基本構造の面で記述すると以下のとおりである。光源２１から放射した入射平行ビームＬ２０ａは、光分割器２２によって試験片１０００の面に垂直方向に（線形偏光子２３に具現される）固定偏光子に入射される。固定偏光子に入射した入射平行ビームＬ２０ａは、入射光軸相の固定偏光子、（第１等速回転補償器２４ａに具現される）第１等速回転入射軸補償器と（第２等速回転補償器２４ｂに具現される）第２等速回転入射軸補償器を順に通過して入射平行ビームの偏光状態が変調し、試験片１０００にＬ２０ｂが入射される。試験片１０００によって反射した反射平行ビームＬ２０ｃは、反射光軸上の（やはり第２等速回転補償器２４ｂに具現される）第１等速回転反射軸補償器、（やはり第１等速回転補償器２４ａに具現される）第２等速回転反射軸補償器と（やはり線形偏光子２３に具現される）固定検光子を順に通過してまた反射平行ビームの偏光状態が変調し、光分割器２２によって分光器２５にＬ２０ｄが入射される。分光器２５に入射した反射平行ビームＬ２０ｄは、各波長別に分光され、この反射平行ビームＬ２０ｄは分光器２５に内在している光検出素子によって電気的デジタル信号値に変換され、測定されたデジタル信号値は、電算機器２６によって試験片１０００の光物性の分析に使用される。
【００１７】
図２の実施形態において、線形偏光子２３は、固定偏光子だけでなく、固定検光子の役割も果たす。また、図２の実施形態において、第１等速回転補償器２４ａと第１波長板２４ａｗは、第１等速回転入射軸補償器だけでなく、第２等速回転反射軸補償器の役割を果たし、図２の第２等速回転補償器２４ｂと第２波長板２４ｂｗは、第２等速回転入射軸補償器だけでなく、第１等速回転反射軸補償器の役割を果たす。かかる構成によって、傾斜入射方式よりも測定装置の大きさを小さくすることができるという利点がある。
【００１８】
しかし、二重補償器‐回転型垂直入射エリプソメータ２０も、単一補償器‐回転型垂直入射エリプソメータ１０と同様、補償器と波長板の波長依存性のために発生する製造および校正の複雑性の問題を依然として内包している。
【００１９】
まとめると、エリプソメータは、基本的に、偏光状態生成部（Polarization State Generator；ＰＳＧ）および偏光状態分析部（Polarization State Analyzer；ＰＳＡ）を含んでなる。従来の垂直入射エリプソメータの場合、偏光状態生成部および偏光状態分析部を具体的に実現する構成として、一つの固定線形偏光子および１または２個の等速回転補償器（compensator）を使用する。しかし、かかる補償器は、相対的位相遅延（relative phase delay）が波長に応じて異なる値を有する波長依存性があるため、装備校正が必須になり、また、複雑な校正手続きを行う過程で誤差が発生し得るという問題がある。それだけでなく、測定の信頼性の向上のために測定波長領域をより広く拡張しようとする場合、それに適する補償器を新たに開発しなければならないという問題もある。
【先行技術文献】
【特許文献】
【００２０】
【特許文献１】米国特許登録第7355708号(“Normal incidence rotating compensator ellipsometer”, 2008.04.08.)
【特許文献２】米国特許登録第7889340号(“Normal-incidence ellipsometer with complementary waveplate rotating compensators “, 2011.02.15.)
【非特許文献】
【００２１】
【非特許文献１】1. R.M.A. Azzam, "PIE: Perpendicular-Incidence Ellipsometry - Application to the Determination of the Optical Properties of Uniaxial and Biaxial Absorbing Crystals," Opt. Commun. 19, 122 (1976).
【非特許文献２】2. R.M.A. Azzam, "NIRSE: Normal-Incidence Rotating-Sample Ellipsometer," Opt. Commun. 20, 405 (1977).
【非特許文献３】3. Y. J. Cho, et. al., "Universal Evaluations and Expressions of Measuring Uncertainty for Rotating-Element Spectroscopic Ellipsometers," Opt. Express 23, 15481 (2015).
【発明の概要】
【発明が解決しようとする課題】
【００２２】
したがって、本発明は、上述のような従来技術の問題点を解決するために導き出されたものであり、本発明は、波長依存性がある補償器の代わりに波長依存性がない線形偏光子を使用することで、装備校正手続きを簡素化できるようにし、且つ測定波長領域の拡張を容易に実現できるようにする、垂直入射エリプソメータおよびこれを用いた試験片の光物性の測定方法を提供することを目的とする。
【課題を解決するための手段】
【００２３】
上述のような目的を達成するための本発明の垂直入射エリプソメータは、視準光学系を含み、試験片に向かって入射平行ビームを放射する光源と、前記光源と前記試験片との間に配置され、前記入射平行ビームの一部を前記試験片の面に対して垂直方向に向かうようにする光分割器と、前記光分割器と前記試験片との間に配置され、予め設定された方位角で固定され、前記入射平行ビームを予め設定された方向の線偏光成分のみ通過させる固定偏光子と、前記固定偏光子と前記試験片との間に配置され、等速で回転して前記入射平行ビームの偏光状態を等速回転振動数に応じて規則的に変調させる等速回転偏光子と、前記試験片から反射した反射平行ビームの入射を受けて分光輻射線束の露光量を測定する光検出素子と、前記試験片と前記光検出素子との間に配置され、等速で回転して前記反射平行ビームの偏光状態を等速回転振動数に応じて規則的に変調させる等速回転検光子と、前記等速回転検光子と前記光検出素子との間に配置され、予め設定された方位角で固定され、前記反射平行ビームの予め設定された方向の線偏光成分のみ通過させる固定検光子と、前記固定偏光子および前記固定検光子の方位角、前記等速回転偏光子および前記等速回転検光子の等速回転角速度を制御し、前記光検出素子で測定された分光輻射線束の露光量値を分析して前記試験片の光物性を算出する電算機器とを含み、前記固定偏光子および前記固定検光子が一つの線形偏光子として一体になり、前記等速回転偏光子および前記等速回転検光子が一つの等速回転線形偏光子として一体になることができる。
【００２４】
この際、前記垂直入射エリプソメータは、前記光分割器、前記固定偏光子および前記固定検光子が一つの光分割線形偏光子として一体になることができる。また、この際、前記光分割線形偏光子は、ウォラストンプリズム（Wollaston Prism）であってもよい。
【００２５】
また、前記光検出素子は、画素が線形または二次元平面構造で配列されたＣＣＤ、ＣＭＯＳまたはフォトダイオードアレイ素子を含む分光器でそれぞれ指定された波長帯域に対する画素またはビニングされた画素から選択される少なくとも一つであってもよい。また、この際、前記光検出素子は、一つの分光器であるか、またはｓ‐偏光分光器およびｐ‐偏光分光器からなる分光器セットでそれぞれ指定された波長帯域に対する画素またはビニングされた画素から選択される少なくとも一つであってもよい。
【００２６】
または、前記光検出素子は、前記光源が単一波長の光源装置の場合、ＰＭＴおよびフォトダイオードを含む単一点光検出器であってもよい。前記単一波長の光源装置は、ガスレーザ、レーザダイオードから選択される少なくとも一つであってもよい。
【００２７】
または、前記光検出素子は、指定された波長帯域の光を透過させる色フィルタ（color filters）と画素が二次元平面構造で配列されたＣＣＤまたはＣＭＯＳを含むイメージング光検出器から選択される一つの画素であってもよい。
【００２８】
また、前記垂直入射エリプソメータは、前記固定偏光子および前記固定検光子に方位角の調節のための中空軸ステッピングモータが備えられ、前記等速回転偏光子および前記等速回転検光子の等速回転角速度の調節のための等速回転中空軸モータが備えられ得る。
【００２９】
また、前記電算機器は、前記光検出素子から測定された光の分光輻射線束の露光量値から分光輻射線束波形に対するフーリエ係数値を計算し、前記フーリエ係数値から前記試験片のミュラー行列成分値を計算し、前記ミュラー行列成分値から前記試験片の光物性値を分析および算出する演算部と、前記固定偏光子および前記固定検光子の方位角を中空軸ステッピングモータを使用して遠隔制御し、前記等速回転偏光子および前記等速回転検光子の等速回転角速度を等速回転中空軸モータを使用して遠隔制御する制御部と、前記分光輻射線束の露光量値である測定値、前記フーリエ係数値および前記ミュラー行列成分値である計算値、前記試験片の光物性値である分析値を格納する記憶部と、前記測定値、前記計算値、前記分析値を出力する出力部とを含むことができる。
【００３０】
また、前記光源は、キセノン（Xenon）ランプ、タングステン（Tungsten）‐ハロゲン（Halogen）ランプ、重水素（Deuterium）ランプ、レーザ駆動の光源（Laser Driven Light Source）、ガスレーザ、レーザダイオードから選択される少なくとも一つであるか、またはこれらから放射した光を光ファイバを通じて伝達することができる。
【００３１】
また、前記垂直入射エリプソメータは、光経路を外部大気と遮蔽する遮蔽用ブースと、前記遮蔽用ブースに連結されて不活性ガスを供給するガス供給装置とを含むことができる。この際、前記不活性ガスは、窒素ガスまたはアルゴンガスであってもよい。
【００３２】
また、前記垂直入射エリプソメータは、前記等速回転偏光子と前記試験片との間に配置され、前記試験片の局所領域に焦点が結ばれるように前記入射平行ビームを収束させる焦点光学系を含むことができる。この際、前記焦点光学系は、光帯域波長に対する色収差補正のために、少なくとも一つの鏡、少なくとも一つのレンズ、または少なくとも一つの鏡および少なくとも一つのレンズのセットから選択される一つであってもよい。また、この際、前記焦点光学系は、透過または反射効率の向上のために、前記鏡または前記レンズに単一薄膜または多層薄膜がコーティングされ得る。
【００３３】
また、前記垂直入射エリプソメータは、複数個の前記試験片を収容および保管する試験片保管容器、前記試験片保管容器から複数個の前記試験片を予め設定された規則に従って順に一つずつ取り出して前記垂直入射エリプソメータの試験片保持具に配置し、測定完了した前記試験片を前記試験片保管容器の最初の位置に復帰させる試験片搬送装置を含む試験片搬送システムを含むことができる。
【００３４】
また、前記垂直入射エリプソメータは、試験片整列用光を放射する整列用レーザ、前記整列用レーザから放射する光を前記試験片に予め設定された方向に入射させる整列用光学系、前記試験片に入射されて反射した光を受光して前記試験片の位置を判別する整列用光検出器を含む試験片整列システムを含むことができる。
【００３５】
また、前記垂直入射エリプソメータは、測定環境の振動による影響を防止するために、前記垂直入射エリプソメータの下部に備えられる防振システムを含むことができる。
【００３６】
また、前記垂直入射エリプソメータは、温度変化による測定誤差発生を防止するために、測定環境温度を維持するか冷却する恒温装置または冷却装置を含むことができる。
【００３７】
また、本発明の垂直入射エリプソメータを用いた試験片の光物性の測定方法は、上述のような垂直入射エリプソメータを用いた試験片の光物性の測定方法であって、光物性を測定しようとする前記試験片が前記垂直入射エリプソメータの試験片保持具に装着および整列される試験片装着ステップと、前記電算機器によって、前記固定偏光子および前記固定検光子の方位角値が選択される方位角選択ステップと、前記電算機器によって、前記固定偏光子および前記固定検光子を設定方位角に移動させる方位角移動ステップと、前記光検出素子によって、前記等速回転偏光子および前記等速回転検光子の方位角の変化による前記反射平行ビームの分光輻射線束の露光量値が測定される露光量測定ステップと、前記電算機器によって、前記分光輻射線束の露光量値から分光輻射線束波形のフーリエ係数値が計算されるフーリエ係数計算ステップと、前記電算機器によって、前記フーリエ係数値から前記試験片のミュラー行列成分値が計算されるミュラー行列成分計算ステップと、前記電算機器によって、前記ミュラー行列成分値から前記試験片の光物性値が分析および算出される試験片光物性分析ステップとを含むことができる。
【００３８】
この際、前記光物性は、界面特性、薄膜厚さ、複素屈折率、ナノ形状、非等方特性、表面粗さ、組成比、結晶性から選択される少なくとも一つであってもよい。
【発明の効果】
【００３９】
本発明によると、垂直入射エリプソメータを構成する際に、偏光状態を分析する装置として波長依存性がない線形偏光子を使用することで、従来、波長依存性がある補償器を使用することから発生した様々な問題を一度に解消するという大きな効果がある。より具体的には、本発明によると、波長依存性の排除によって装備校正手続きを簡素化できるようにする効果があり、これにより、複雑な装備校正手続きから発生する誤差の発生も大幅に縮小できるという効果がある。また、従来、測定波長領域を拡張するためにはそれに適する補償器を新たに開発しなければならなかったが、本発明によると、そのような必要がないため、測定波長領域の拡張がはるかに自由であるという効果がある。また、本発明によると、測定波長領域を拡張することで、最後には、垂直入射エリプソメータの測定信頼性を向上するという効果が得られる。
【図面の簡単な説明】
【００４０】
【図１】従来の単一補償器‐回転型垂直入射エリプソメータの概略図である。
【図２】従来の二重補償器‐回転型垂直入射エリプソメータの概略図である。
【図３】本発明の第１実施形態による線形偏光子‐回転型垂直入射エリプソメータの概略図である。
【図４】本発明の第２実施形態による線形偏光子‐回転型垂直入射エリプソメータの概略図である。
【図５】本発明の第３実施形態による線形偏光子‐回転型垂直入射エリプソメータの概略図である。
【図６】本発明の線形偏光子‐回転型垂直入射エリプソメータを用いた試験片の光物性の測定方法を示すフローチャートである。
【発明を実施するための形態】
【００４１】
以下、上述のような構成を有する本発明による垂直入射エリプソメータおよびこれを用いた試験片の光物性の測定方法について添付の図面を参照して詳細に説明する。
【００４２】
［本発明の垂直入射エリプソメータの基本構成］
本発明では、波長依存性がある補償器の代わりに波長依存性がない線形偏光子を使用することで、上述のような従来の問題点を解消する。本発明の垂直入射エリプソメータの様々な実施形態が図３〜図５に図示されており、それぞれの実施形態については以下でより詳細に説明する。本発明の垂直入射エリプソメータは、基本的に、光源と、光分割器と、固定偏光子と、等速回転偏光子と、光検出素子と、等速回転検光子と、固定検光子と、電算機器とを含む。各部について説明すると以下のとおりである。
【００４３】
前記光源（Light Source）は、視準光学系（Collimator）を含み、試験片に向かって入射平行ビーム（Incident Collimated Beam）を放射する役割をする。この際、前記光源は、キセノン（Xenon）ランプ、タングステン（Tungsten）‐ハロゲン（Halogen）ランプ、重水素（Deuterium）ランプ、レーザ駆動の光源（Laser Driven Light Source）、ガスレーザ、レーザダイオードから選択される少なくとも一つであるか、またはこれらから放射した光を光ファイバを通じて伝達するものであってもよい。
【００４４】
前記光分割器（Beam Splitter）は、前記光源と前記試験片との間に配置され、前記入射平行ビームの一部を前記試験片の面に対して垂直方向に向かうようにする役割をする。
【００４５】
前記固定偏光子（Fixed Polarizer）は、前記光分割器と前記試験片との間に配置され、予め設定された方位角で固定されて、前記入射平行ビームを予め設定された方向の線偏光成分のみ通過させる役割をする。この際、前記固定偏光子の方位角は、常に固定されているものではなく、前記試験片を測定しようとする時に所望の方位角に調節できるように前記固定偏光子自体は移動可能になり、この際、測定時には固定されているため、「固定」という用語が使用されるものである。この際、前記固定偏光子の方位角の調節のために、前記固定偏光子には中空軸ステッピングモータが備えられ得る。
【００４６】
前記等速回転偏光子（Constantly Rotating Polarizer）は、前記固定偏光子と前記試験片との間に配置され、等速で回転して前記入射平行ビームの偏光状態を等速回転振動数に応じて規則的に変調する役割をする。この際、前記等速回転偏光子の等速回転角速度の調節のために、前記等速回転偏光子には等速回転中空軸モータが備えられ得る。
【００４７】
前記光検出素子は、前記試験片から反射した反射平行ビーム（Reflected Collimated Beam）の入射を受けて分光輻射線束（Spectral Radiant Flux）の露光量を測定する役割をする。この際、前記光検出素子は、画素が線形または二次元平面構造で配列されたＣＣＤ、ＣＭＯＳまたはフォトダイオードアレイ素子を含む分光器でそれぞれ指定された波長帯域に対する画素またはビニングされた画素から選択される少なくとも一つであってもよい。また、この際、前記光検出素子は、一つの分光器であるか、またはｓ‐偏光分光器およびｐ‐偏光分光器からなる分光器セットでそれぞれ指定された波長帯域に対する画素またはビニングされた画素から選択される少なくとも一つであってもよい。
【００４８】
より詳細に説明すると、前記光源が白色光を使用する場合、光を検出するための手段として分光器を使用することができるが、実質的に光を検出するものは、分光器内に備えられた光検出器アレイでの各画素または各ビニングされた画素群になる。すなわち、分光器自体と言うよりは、各画素または各ビニングされた画素群が一つの光検出素子の役割を果たすようになるものであると理解すれば良い。
【００４９】
または、前記光検出素子は、前記光源が単一波長の光源装置の場合、ＰＭＴおよびフォトダイオードを含む単一点光検出器であってもよい。前記単一波長の光源装置は、ガスレーザ、レーザダイオードから選択される少なくとも一つであってもよい。または、前記光検出素子は、画素が二次元平面構造で配列されたＣＣＤまたはＣＭＯＳを含むイメージング光検出器から選択される一つの画素であってもよい。この際、前記光源が単一波長の光源装置の場合であれば、他の部品がさらに必要ではないが、前記光源が複数波長の多波長光源装置の場合であれば、前記光源および（前記ＣＣＤまたはＣＭＯＳを含むイメージング光検出器の画素からなる）前記光検出素子の間に指定された波長帯域の光を透過させる色フィルタ（color filters）がさらに備えられ得る。
【００５０】
前記光検出素子は、外部トリガーが伝達される前には待機状態を維持し、外部トリガーが伝達されると測定を行うが、前記光検出素子が分光器のＣＣＤ、ＣＭＯＳまたはフォトダイオードアレイのような積分型光検出器から選択される一つの画素またはビニングされた画素（pixel binning）の場合、各光検出素子別に指定された積分時間の間に露光量値を出力するか臨時に格納する方式で作動し、前記光検出素子がＰＭＴおよびフォトダイオードを含む光検出器のような非積分型光検出器の場合、非常に短い積分時間の間の露光量値、すなわち、近似的に光の分光輻射線束の値を出力するか臨時に格納する方式で作動することができる。
【００５１】
前記等速回転検光子（Constantly Rotating Analyzer）は、前記試験片と前記光検出素子との間に配置され、等速で回転して前記反射平行ビームの偏光状態を等速回転振動数に応じて規則的に変調させる役割をする。ここで、前記等速回転検光子が上述の前記等速回転偏光子と役割が異なるため別の名称が使用されているが、上記でも説明したように、傾斜入射方式の場合には、実際にもそれぞれが別の部品で具現されるが、垂直入射方式の場合には、実質的には一つの部品で具現され得る（このようにすることで、傾斜入射方式よりも垂直入射方式のエリプソメータが装置をより小型化できるという点については前述した）。すなわち、本発明において、前記等速回転偏光子および前記等速回転検光子は、一つの等速回転線形偏光子として一体になる。
【００５２】
前記固定検光子（Fixed Analyzer）は、前記等速回転検光子と前記光検出素子との間に配置され、予め設定された方位角で固定されて、前記反射平行ビームの予め設定された方向の線偏光成分のみ通過させる役割をする。前記固定検光子も前記固定偏光子と同様、前記固定検光子自体は移動可能になるが、測定時には固定されているため、「固定」という用語が使用される。また、前記等速回転偏光子‐前記等速回転検光子と同様、前記固定偏光子および前記固定検光子は、一つの線形偏光子として一体になる。さらには、装置をさらに小型化および集積化できるように、前記光分割器、前記固定偏光子および前記固定検光子が一つの光分割線形偏光子として一体になるようにすることもできる。この場合、前記光分割線形偏光子は、ウォラストンプリズム（Wollaston prism）からなることができる。
【００５３】
前記電算機器（Processor）は、前記固定偏光子および前記固定検光子の方位角、前記等速回転偏光子および前記等速回転検光子の等速回転角速度を制御し、前記光検出素子で測定された分光輻射線束（Spectral Radiant Flux）の露光量値を分析して前記試験片の光物性を算出する役割をする。より具体的には、前記電算機器は、様々な演算を行う演算部と、上述の様々な部品の駆動を制御する制御部と、演算に必要な値を格納する記憶部と、分析結果を出力する出力部とを含む。前記演算部は、前記光検出素子から測定された光の分光輻射線束（Spectral Radiant Flux）の露光量値から分光輻射線束波形に対するフーリエ係数（Fourier Coefficient）値を計算し、前記フーリエ係数値から前記試験片のミュラー行列（Mueller Matrix）成分値を計算し、前記ミュラー行列成分値から前記試験片の光物性値を分析および算出することができる。前記制御部は、前記固定偏光子および前記固定検光子の方位角を中空軸ステッピングモータ（Hollow Shaft Stepping Motor）を使用して遠隔制御し、前記等速回転偏光子および前記等速回転検光子の等速回転角速度（Angular Velocity）を等速回転中空軸モータを使用して遠隔制御することができる。前記記憶部は、前記演算部で行う演算に必要な値、すなわち、前記光検出素子から測定された露光量値（測定値）、分光輻射線束波形に対するフーリエ係数値および前記試験片のミュラー行列成分値（計算値）、前記試験片の光物性値（分析値）を格納する。前記出力部は、モニタ、印刷装置などにより前記測定値、前記計算値、前記分析値を画面または印刷物など、ユーザが希望する形態に出力する。
【００５４】
さらに、本発明の垂直入射エリプソメータは、光経路を外部大気と遮蔽する遮蔽用ブースおよび前記遮蔽用ブースに連結されて窒素ガス、アルゴンガスなどの不活性ガスを供給するガス供給装置をさらに含むことができる。このようにすることで、前述のように水分、酸素などによって特定の波長の光が吸収されるという問題を効果的に防止し、最後には、測定波長領域をスムーズに拡張することができる。
【００５５】
かかる構成からなる本発明の垂直入射エリプソメータは、図１または図２に図示された従来のエリプソメータとは異なり、等速回転補償器の代わりに等速回転線形偏光子を使用している。従来のエリプソメータで使用される補償器は、前述のように波長別に補償器の位相遅延値が変化する波長依存性を有しており、これによって複雑な校正手続きを要し、かかる校正手続きを行う間に誤差が発生するという問題があった。しかし、本発明によると、補償器自体を除去し、波長依存性がない線形偏光子を代わりに使用することで、かかる校正手続き自体を大幅に簡素化することができるようにし、それによる誤差発生の問題も最初から排除できることは言うまでもない。
【００５６】
具体的には、本発明の垂直入射エリプソメータで、前記線形偏光子（前記固定偏光子および前記固定検光子の役割）は、入射平行ビーム軸線上では光源と光分割器によって発生し得る偏光状態誤差を、反射平行ビーム軸線上では光分割器と検出光学系によって発生し得る偏光状態誤差を除去する役割をする。また、前記等速回転線形偏光子（前記等速回転偏光子および前記等速回転検光子の役割）は、入射平行ビームと反射平行ビームの偏光状態を等速回転振動数によって規則的に変調する役割をする。このように本発明の垂直入射エリプソメータでは、波長依存性がある偏光光素子を使用しないため、装備校正手続きが非常に簡便で装備間のマッチングが容易であり、測定信頼度の向上のために測定波長領域を光帯域に容易に拡張することができる。
【００５７】
［本発明の垂直入射エリプソメータの付加構成］
本発明の垂直入射エリプソメータは、測定正確性およびユーザ便宜性の向上のために、焦点光学系、試験片搬送システム、試験片整列システム、防振システム、恒温装置または冷却装置などの付加構成をさらに含むことができる。
【００５８】
前記垂直入射エリプソメータが半導体業界のような分野に使用される場合、試験片で測定しようとする領域の大きさが数十マイクロメータ程度に非常に小さいため、入射光が試験片の局所領域にスムーズに焦点を結ぶようにするために、前記焦点光学系が試験片の前経路に選択的に備えられ得る。すなわち、前記焦点光学系は、前記等速回転偏光子と前記試験片との間に配置され、前記試験片の局所領域に焦点が結ばれるように、前記入射平行ビームを収束する役割をする。具体的には、前記焦点光学系は、光帯域波長に対する色収差補正のために、少なくとも一つの鏡、少なくとも一つのレンズ、または少なくとも一つの鏡および少なくとも一つのレンズのセットから選択される一つからなることができる。この際、透過または反射効率の向上のために、前記鏡または前記レンズに単一薄膜または多層薄膜がコーティングされるようになることが好ましい。
【００５９】
一方、このように半導体産業の分野で前記垂直入射エリプソメータが使用される場合、多数のウェハ試験片を速い時間内に測定をすることが重要であり、そのために、前記試験片搬送システムが備えられ得る。具体的には、前記試験片搬送システムは、複数個の前記試験片を収容および保管する試験片保管容器と、前記試験片保管容器から複数個の前記試験片を予め設定された規則に従って順に一つずつ取り出し、前記垂直入射エリプソメータの試験片保持具に配置し、測定が完了した前記試験片を前記試験片保管容器の最初の位置に復帰させる試験片搬送装置とを含むことができる。この際、前記試験片保持具は、試験片の自由な整列および測定位置の変更がスムーズに行われるように、高さおよび左右の３自由度の平行移動、２自由度を有する勾配の調節および回転機能を含む６自由度システムからなることができる。
【００６０】
また、このように速い時間内に測定する過程で試験片の整列もより正確且つ迅速に行われるようにするために、前記試験片整列システムが備えられ得る。具体的には、前記試験片整列システムは、試験片整列用光を放射する整列用レーザと、前記レーザから放射する光を前記試験片に予め設定された方向に入射させる整列用光学系と、前記試験片に入射して反射した光を受光し、前記試験片の位置を判別する整列用光検出器とを含むことができる。
【００６１】
さらに、測定環境の振動による影響を防止するように、前記防振システムが前記垂直入射エリプソメータの下部に備えられ得る。また、温度の変化による測定誤差の発生を防止するように、前記光源、前記偏光光素子、前記試験片、および前記光検出素子に前記恒温装置が備えられて測定環境の温度を維持するか、または前記光検出素子に前記冷却装置が備えられて冷却するようにすることが好ましい。
【００６２】
［本発明の垂直入射エリプソメータの様々な実施形態］
図３は本発明の第１実施形態による線形偏光子‐回転型垂直入射エリプソメータの概略図を図示している。本発明の第１実施形態の線形偏光子‐回転型垂直入射エリプソメータ１００は、光源１０１と、光分割器１０２と、線形偏光子１０３と、中空軸ステッピングモータ１０３ｍと、等速回転線形偏光子１０４と、等速回転中空軸モータ１０４ｍと、光検出素子１０５と、電算機器１０６とを含む。第１実施形態において、基本構成の説明での前記線形偏光子１０３は、前記固定偏光子および前記固定検光子の役割をすべて果たすようになり、前記等速回転線形偏光子１０４は、前記等速回転偏光子および前記等速回転検光子の役割をすべて果たすようになる。
【００６３】
さらに、第１実施形態の垂直入射エリプソメータ１００は、前述のように、測定波長領域拡張のための遮蔽用ブース１０７と、ガス供給装置１０８とを含むことができ、また、試験片１０００の局所領域にスムーズに焦点を合わせるようにする焦点光学系１０９を含むことができる。
【００６４】
図４は本発明の第２実施形態による線形偏光子‐回転型垂直入射エリプソメータの概略図を図示している。本発明の第２実施形態の線形偏光子‐回転型垂直入射エリプソメータ２００は、光源２０１と、光分割線形偏光子２０３と、等速回転線形偏光子２０４と、等速回転中空軸モータ２０４ｍと、光検出素子２０５と、電算機器２０６とを含む。第２実施形態において、前記光分割線形偏光子２０３は、基本構成の説明での前記光分割器、前記固定偏光子および前記固定検光子の役割をすべて果たすようになることで装備をさらに小型化および集積化することができる。
【００６５】
図４には遮蔽用ブース、ガス供給装置、焦点光学系などが図示されていないが、図４の第２実施形態（および以下で説明する図５の第３実施形態）にもかかる構成をさらに備えることが可能であることはいうまでもない。
【００６６】
図５は本発明の第３実施形態による線形偏光子‐回転型垂直入射エリプソメータの概略図を図示している。本発明の第３実施形態の線形偏光子‐回転型垂直入射エリプソメータ３００は、光源３０１と、光分割器３０２と、光分割線形偏光子３０３と、等速回転線形偏光子３０４と、等速回転中空軸モータ３０４ｍと、ｓ‐偏光光検出素子３０５ｓと、ｐ‐偏光光検出素子３０５ｐと、電算機器３０６とを含む。第３実施形態において、前記ｓ‐偏光光検出素子３０５ｓおよび前記ｐ‐偏光光検出素子３０５ｐが基本構成の説明での前記光検出素子の役割を果たすようになる。一方、第３実施形態において、前記光分割線形偏光子３０３は、基本構成の説明での前記光分割器、前記固定偏光子および前記固定検光子の役割をすべて果たすようになる。この際、前記光分割器３０２は、図５から分かるように、前記光源３０１から放射する光を試験片１０００の方に向かう光経路を形成するためにさらに備えられるものである。
【００６７】
さらに、本発明の線形偏光子‐回転型垂直入射エリプソメータにおいて、偏光光素子の等速回転中空軸モータによる等速回転線形偏光子の回転は、等速回転またはステップ回転から選択される一つであってもよい。
【００６８】
［本発明の垂直入射エリプソメータを用いた試験片の光物性測定原理］
上述のようになる本発明の垂直入射エリプソメータを用いた試験片の光物性測定原理について詳細に説明すると以下のとおりである。本発明の垂直入射エリプソメータで使用される固定偏光子、等速回転偏光子、等速回転検光子および固定検光子に対するそれぞれの方位角は、固定偏光子で線形偏光子の透過軸、等速回転偏光子で線形偏光子の透過軸、等速回転検光子で線形偏光子の透過軸、固定検光子で線形偏光子の透過軸の位置を任意に選定された基準軸の位置を基準として、それぞれ
2021529328.tif 000003
【００６９】
2021529328.tif 000004
【００７０】
2021529328.tif 000005
【００７１】
したがって、誤謬のない理想的な前記線形偏光子‐回転型垂直入射エリプソメータにおいて時間ｔである時に光検出素子によって測定される準単色波長（Polychromatic Wavelength）での分光輻射線束の値は、以下の一般的な波形に対する式で表すことができる。
2021529328.tif 000006
【００７２】
2021529328.tif 000007
【００７３】
前記線形偏光子‐回転型垂直入射エリプソメータでは、光検出素子を用いて分光輻射線束波形のフーリエ係数を正確に測定することは非常に重要である。最先端の実時間分光エリプソメータでは、高い精度の実時間測定のためにフーリエ係数のスペクトルをできるだけ速く収集することができるＣＣＤ（Charge coupled Device）またはＰＤアレイ（Photo Diode array）を光検出器として使用している。ＣＣＤまたはＰＤアレイの各画素または各ビニング（binning）画素群は、前記一つの光検出素子としての役割を果たしている。ＣＣＤまたはＰＤアレイの出力信号は、分光輻射線束だけでなく、積分時間に比例することから積分型光検出器と称する。
【００７４】
ＣＣＤまたはＰＤアレイのデータ測定過程は、フレーム取得とフレーム読み込み過程とに分けることができ、測定周期、すなわち、等速で回転する等速回転光素子システムでは、等速回転角速度による１回転当たり、すなわち、等速回転角速度に対する
2021529328.tif 000008
【００７５】
式（２）と式（３）から測定された露光量の式は、以下のような形態で誘導される。
【００７６】
2021529328.tif 000009
【００７７】
2021529328.tif 000010
【００７８】
式（４）のように測定された露光量に対して離散フーリエ変換（Discrete Fourier Transform）を適用すると、その結果は、前記のように最小二乗法によって得られた結果と同じであるが、その表現方法は、以下のようにより簡潔であるという利点がある。
2021529328.tif 000011
【００７９】
2021529328.tif 000012
【００８０】
一般的なエリプソメータの構成では、光源（Light Source；ＬＳ）から放射した平行ビームが偏光状態発生器（Polarization State Generator；ＰＳＧ）を通過し、試験片によって反射してから偏光状態分析器（Polarization State Analyzer；ＰＳＡ）を通過して光検出素子（Photodetector Element；ＰＤＥ）に入射すると、分光輻射線束は、電気的信号に変換される。特に、光素子‐回転型分光エリプソメータで使用される回転可能な偏光光素子（Rotatable Polarization Element）は、線形偏光子（Linear Polarizer）と補償器（Compensator）とに分けられ、これらは、光素子‐回転型分光エリプソメータの種類に応じて偏光状態発生器と偏光状態分析器にそれぞれ別々に配置される。光素子‐回転型分光エリプソメータで回転可能な偏光光素子のうち少なくとも一つの偏光光素子は、一定の各振動数で等速回転をしなければならず、それ以外の回転可能な偏光光素子は、それぞれ指定された位置に停止している。回転可能な偏光光素子の方位角は、中空軸モータによってリモートコントロールが可能であり、中空軸モータの方位角基準点、すなわち、インデックス原点（index origin）に位置した時に回転可能な偏光光素子の特性軸がそれぞれ異なる位置にあり得る。測定が正しく行われるためには、任意に定められた基準軸から回転可能な偏光光素子の特性軸の方位角の位置をそれぞれ知るべきである。既存によく知られた校正法（calibration）を使用すると、偏光光素子の特性軸の方位角の位置を前記基準軸座標系でそれぞれ探し出すことができる。したがって、式（２）を基準軸座標系に対して変換すると、以下のように与えられる。
2021529328.tif 000013
【００８１】
2021529328.tif 000014
【００８２】
エリプソメータでデータ整理（data reduction）関数は、補正されたフーリエ係数から試験片の偏光エリプソメトリックパラメータを抽出するために使用するため、使用される光素子‐回転型分光エリプソメータに適したデータ整理方法を探すことが非常に重要である。ストークス（Stokes）表現によると、偏光状態発生器を通過するために入射される光波のストークスベクトルは
2021529328.tif 000015
【００８３】
準単色光波に対して光検出素子に入射される光波のストークスベクトルは、以下のように記述することができる。
2021529328.tif 000016
【００８４】
2021529328.tif 000017
【００８５】
2021529328.tif 000018
【００８６】
2021529328.tif 000019
【００８７】
データ整理に使用された線形方程式の総数に応じて、前記連立一次方程式の解は、固有の（Unique）または過剰決定された（Overdetermined）形態で与えられる。前記データ整理に関する式は、すべての形態の光素子‐回転型エリプソメータへの適用が可能である。
【００８８】
補正されたすべてのフーリエ係数から試験片のエリプソメトリックパラメータを得ることができる一般化したデータ整理方法を紹介する。補正されたフーリエ係数の列ベクトルを
2021529328.tif 000020
【００８９】
したがって、光学的特性がよく知られた基準試験片を使用した測定結果または試験片なしに直線上の測定結果から各波長ごとに式（１９）で
2021529328.tif 000021
の値を得ると、式（２０）を使用して補正されたフーリエ係数の値から試験片のミュラー行列の成分を直接計算することが可能である。ここで強調したいことは、前記のような方法で計算されたミュラー行列成分に対するベクトルの解は、非等方性試験片の場合にも適用可能であるということである。
【００９０】
2021529328.tif 000022
【００９１】
上記のように光の分光輻射線束を測定し、試験片に対する光学的理論式を定立し、定立した理論式に対して設定された領域に対する多数の未知の媒介変数を使用して試験片のミュラー行列成分のデータを計算し、前記データに最小二乗法などを用いて最適化を行うことで、試験片で求めようとする光物性の値を推測することができる。すなわち、ミュラー行列から他の物理的な特性を分析することができる。このように本発明の実施形態による線形偏光子‐回転型垂直入射エリプソメータは、前記測定されたフーリエ係数または前記測定されたミュラー行列成分から試験片の界面特性、薄膜厚さ、複素屈折率、ナノ形状、非等方特性、表面粗さ、組成比、結晶性などの様々な物性を分析することができ、かかる分析結果を半導体素子工程用の測定装備、平板ディスプレイ工程用の測定装備、太陽光素子測定装備、薄膜光学測定装備、バイオセンサまたはガスセンサなどに活用することができる。具体的には、本発明の実施形態による線形偏光子‐回転型垂直入射エリプソメータにおいてナノパターン形状測定のように分析方法が非常に複雑な場合の物性分析方法について説明すると、以下のとおりである。先に測定しようとする試験片に対するフーリエ係数またはミュラー行列成分の測定データを得て、試験片に対する光学的理論式を定立し、定立した理論式に対して設定された領域で定められた多数の未知の媒介変数の値を使用して計算されたフーリエ係数またはミュラー行列成分のデータを得て、計算されたデータに対して未知の媒介変数に対する連続関数を作り、連続関数を測定データに最小二乗法を用いて最適化することで、試験片の物性を得ることができる。かかる場合に、本発明のエリプソメータは、前記試験片に対して測定された前記フーリエ係数または前記ミュラー行列成分の測定データから前記試験片の物性を迅速に探し出すために、高性能並列コンピュータ、ＲＣＷＡ（rigorous coupled‐wave analysis）アルゴリズムベースの分析ソフトウェアおよび大容量データ記憶装置から構成された大容量高速演算システムを含むことができる。
【００９２】
［本発明の垂直入射エリプソメータを用いた試験片の光物性の測定方法］
図６は本発明の線形偏光子‐回転型垂直入射エリプソメータを用いた試験片の光物性の測定方法を示すフローチャートであり、上述のような原理を用いた光物性の測定方法をまとめて説明する。本発明の垂直入射エリプソメータを用いた試験片の光物性の測定方法は、図６に図示されているように、試験片装着ステップＳ１０と、方位角選択ステップＳ２０と、方位角移動ステップＳ３０と、露光量測定ステップＳ４０と、フーリエ係数計算ステップＳ５０と、ミュラー行列成分計算ステップＳ６０と、試験片光物性分析ステップＳ７０とを含むことができる。
【００９３】
前記試験片装着ステップＳ１０では、光物性を測定しようとする前記試験片が前記垂直入射エリプソメータの試験片保持具に装着および整列される。前記方位角選択ステップＳ２０では、前記電算機器によって、前記固定偏光子および前記固定検光子の方位角値が選択される。前記方位角移動ステップＳ３０では、前記電算機器によって、前記固定偏光子および前記固定検光子を設定方位角に移動させる。前記露光量測定ステップＳ４０では、前記光検出素子によって、前記等速回転偏光子および前記等速回転検光子の方位角の変化による前記反射平行ビームの露光量値が測定される。前記フーリエ係数計算ステップＳ５０では、前記電算機器によって、前記露光量値から分光輻射線束波形のフーリエ係数値が計算される。前記ミュラー行列成分計算ステップＳ６０では、前記電算機器によって、前記フーリエ係数値から前記試験片のミュラー行列成分値が計算される。前記試験片光物性分析ステップＳ７０では、前記電算機器によって、前記ミュラー行列成分値から前記試験片の光物性値が分析および算出される。
【００９４】
本発明は、上述の実施形態に限定されず、適用範囲が多様であることはいうまでもなく、請求の範囲で請求する本発明の要旨から逸脱することなく、当該本発明が属する分野において通常の知識を有する者であれば、誰でも様々な変形実施が可能であることはいうまでもない。
【産業上の利用可能性】
【００９５】
本発明によると、垂直入射エリプソメータを構成する際に、偏光状態を分析する装置として波長依存性のない線形偏光子を使用することで、従来の波長依存性のある補償器を使用することから発生した様々な問題、すなわち、複雑な装備校正手続き、これより生じる誤差発生などの問題を解消することができる。また、本発明によると、従来に比べ測定波長領域の拡張が自由であり、これによって垂直入射エリプソメータの測定信頼性を向上することができる。
【符号の説明】
【００９６】
１０  （従来の）単一補償器‐回転型垂直入射エリプソメータ
１１  光源
１２  光分割器
１３  線形偏光子
１４  等速回転補償器
１５  分光器
１６  電算機器
Ｌ１０ａ  光源で放射された入射平行ビーム
Ｌ１０ｂ  試験片に入射する入射平行ビーム
Ｌ１０ｃ  試験片によって反射した反射平行ビーム
Ｌ１０ｄ  分光器に入射する反射平行ビーム
２０  （従来の）二重補償器‐回転型垂直入射エリプソメータ
２１  光源
２２  光分割器
２３  線形偏光子
２４ａ  第１等速回転補償器
２４ａｗ  第１波長板
２４ａｍ  第１等速回転中空軸モータ
２４ｂ  第２等速回転補償器     
２４ｂｗ  第２波長板
２４ｂｍ  第２等速回転中空軸モータ
２５  分光器
２６  電算機器
２７  遮蔽用ブース
２８  ガス供給装置
Ｌ２０ａ  光源で放射された入射平行ビーム
Ｌ２０ｂ  試験片に入射する入射平行ビーム
Ｌ２０ｃ  試験片によって反射した反射平行ビーム
Ｌ２０ｄ  分光器に入射する反射平行ビーム
１００  本発明の第１実施形態の線形偏光子‐回転型垂直入射エリプソメータ
１０１  光源
１０２  光分割器
１０３  線形偏光子
１０３ｍ  中空軸ステッピングモータ
１０４  等速回転線形偏光子
１０４ｍ  等速回転中空軸モータ
１０５  光検出素子
１０６  電算機器
１０７  遮蔽用ブース
１０８  ガス供給装置
１０９  焦点光学系
Ｌ１００ａ  光源で放射された入射平行ビーム
Ｌ１００ｂ  試験片に入射する入射平行ビーム
Ｌ１００ｃ  試験片によって反射した反射平行ビーム
Ｌ１００ｄ  光検出素子に入射する反射平行ビーム
２００  本発明の第２実施形態の線形偏光子‐回転型垂直入射エリプソメータ
２０１  光源
２０３  光分割線形偏光子
２０４  等速回転線形偏光子
２０４ｍ  等速回転中空軸モータ
２０５  光検出素子
２０６  電算機器
Ｌ２００ａ  光源で放射された入射平行ビーム
Ｌ２００ｄ  光検出素子に入射する反射平行ビーム
３００  本発明の第３実施形態の線形偏光子‐回転型垂直入射エリプソメータ
３０１  光源
３０２  光分割器
３０３  光分割線形偏光子
３０４  等速回転線形偏光子
３０４ｍ  等速回転中空軸モータ
３０５ｓ  ｓ‐偏光光検出素子
３０５ｐ  ｐ‐偏光光検出素子
３０６  電算機器
Ｌ３００ａ  光源で放射された入射平行ビーム
Ｌ３００ｓ  ｓ‐偏光光検出素子に入射する反射平行ビーム
Ｌ３００ｐ  ｐ‐偏光光検出素子に入射する反射平行ビーム
１０００  試験片
【図１】
2021529328.tif 000023
【図２】
2021529328.tif 000024
【図３】
2021529328.tif 000025
【図４】
2021529328.tif 000026
【図５】
2021529328.tif 000027
【図６】
2021529328.tif 000028
【国際調査報告】
2021529328.tif 000029
2021529328.tif 000030
2021529328.tif 000031
2021529328.tif 000032